(57)【要約】【課題】  免震住宅に設置する排水管系統において、免震構造を採用する配管部分を最小限とし、排水管系統のほとんどに汎用の管材を用いることができる排水ヘッダーを提供する。【解決手段】  基礎５２上に免震装置５４を介して支持された建物５１に設置されている複数の水回り設備１６に接続された各排水管１７からの排水を建物床下内で合流して排水主管１３に排水する排水ヘッダー１１であって、ヘッダー本体１２に、建物５１の基礎側に配設される前記排水主管１３を免震継手１４を介して接続する排水主管接続部１５と、建物５１の床下部に配設される前記各排水管１７を接続する複数の排水管接続部１９とを設けるとともに、前記ヘッダー本体１２を、建物５１の床下構造物５３に取り付ける。【選択図】  図１
2006077528.tif 000002
【特許請求の範囲】
【請求項１】
基礎上に免震装置を介して支持された建物に設置されている複数の水回り設備に接続された各排水管からの排水を建物床下内で合流して排水主管に排水する排水ヘッダーであって、ヘッダー本体に、建物の基礎側に配設される前記排水主管を免震継手を介して接続する排水主管接続部と、建物の床下部に配設される前記各排水管を接続する複数の排水管接続部とを設けるとともに、前記ヘッダー本体を、建物の床下構造物に取り付けたことを特徴とする排水ヘッダー。
【請求項２】
前記排水管と排水管接続部とは、可撓性管継手を介して接続していることを特徴とする請求項１記載の排水ヘッダー。
【請求項３】
前記ヘッダー本体は、前記床下構造物に対して上下動可能で水平方向の移動が規制された状態で取り付けられるとともに、前記基礎上に移動可能に載置されていることを特徴とする請求項１又は２記載の排水ヘッダー。
【請求項４】
前記ヘッダー本体は、高さ調節可能な複数の支持脚を備えた支持部材に固定され、該支持部材は、前記床下構造物に固定された鉛直方向の棒状ガイド部材に上下動可能な状態で係合するガイド片を備えており、該ガイド片と前記棒状ガイド部材との係合により、前記支持部材が床下構造物に対して上下動可能で、かつ、水平方向の移動が規制された状態に保持され、前記支持脚の下端が前記基礎上に水平方向に移動可能な状態で当接することによってヘッダー本体及び支持部材の荷重を支持することを特徴とする請求項１又は２記載の排水ヘッダー。
【発明の詳細な説明】
【技術分野】
【０００１】
本発明は、排水ヘッダーに関し、詳しくは、耐震構造を備えた戸建住宅に設けられる排水管の接続に使用する排水ヘッダーの構成に関する。
【背景技術】
【０００２】
近年の戸建住宅では、基礎との間に耐震装置を介在させた免震住宅が注目されており、これに伴って排水管の系統にも免震構造が必要となる。この免震構造を有する配管構造として、平面方向の変位を吸収可能な排水可撓管を略Ｕ字状に配管したものが知られている（例えば、特許文献１参照。）。
【特許文献１】特開２００３−３１３９０８号公報
【発明の開示】
【発明が解決しようとする課題】
【０００３】
しかしながら、上述の配管構造では、多数の排水可撓管を必要とするだけでなく、これを略Ｕ字状に配置するため、配管全長が長くなって大幅なコストアップになるだけでなく、排水性能も損なわれてしまうという問題がある。
【０００４】
そこで本発明は、免震住宅に設置する排水管系統において、免震構造を採用する配管部分を最小限とし、排水管系統のほとんどに汎用の管材を用いることができる排水ヘッダーを提供することを目的としている。
【課題を解決するための手段】
【０００５】
上記目的を達成するため、本発明の排水ヘッダーは、基礎上に免震装置を介して支持された建物に設置されている複数の水回り設備に接続された各排水管からの排水を建物床下内で合流して排水主管に排水する排水ヘッダーであって、ヘッダー本体に、建物の基礎側に配設される前記排水主管を免震継手を介して接続する排水主管接続部と、建物の床下部に配設される前記各排水管を接続する複数の排水管接続部とを設けるとともに、前記ヘッダー本体を、建物の床下構造物に取り付けたことを特徴としている。
【０００６】
さらに、本発明の排水ヘッダーは、前記排水管と排水管接続部とが可撓性管継手を介して接続していること、前記ヘッダー本体が前記床下構造物に対して上下動可能で水平方向の移動が規制された状態で取り付けられるとともに、前記基礎上に移動可能に載置されていることを特徴としている。
【０００７】
また、前記ヘッダー本体は、高さ調節可能な複数の支持脚を備えた支持部材に固定され、該支持部材は、前記床下構造物に固定された鉛直方向の棒状ガイド部材に上下動可能な状態で係合するガイド片を備えており、該ガイド片と前記棒状ガイド部材との係合により、前記支持部材が床下構造物に対して上下動可能で、かつ、水平方向の移動が規制された状態に保持され、前記支持脚の下端が前記基礎上に水平方向に移動可能な状態で当接することによってヘッダー本体及び支持部材の荷重を支持することを特徴としている。
【発明の効果】
【０００８】
本発明の排水ヘッダーによれば、排水ヘッダーは、地震の際に免震装置上の建物と一緒に移動するため、排水ヘッダーと各水回り設備との間に接続された各排水管には引っ張り応力や曲げ応力がほとんど作用しない。したがって、これらの排水管には一般的な管材を使用することができる。また、免震継手は、基礎側に配設される排水主管と排水ヘッダーとの間にだけ設ければよいため、コストダウンを図れるとともに、排水性が損なわれることもほとんどなくなる。
【０００９】
さらに、排水管と排水管接続部とを可撓性管継手を介して接続することにより、排水管と排水ヘッダーとの揺れの状態が多少異なった場合でも、排水管や排水管接続部の破損を防止できる。しかも、排水管の施工性も向上し、排水管の熱伸縮も吸収できる。
【００１０】
また、排水ヘッダーは、建物に対して上下動可能とし、水平方向の移動のみを規制するとともに、上下方向（鉛直方向）に作用する排水ヘッダーの荷重を基礎で負担することにより、風呂水等が大量に流入したときに重量が増加する排水ヘッダーを建物への取付部で負担する必要がないため、取付部の構造を大幅に簡略化することができる。
【発明を実施するための最良の形態】
【００１１】
図１は本発明の一形態例を示す排水ヘッダーの正面図、図２は同じく側面図、図３は同じく平面図、図４は配管接続状態を示す概略図、図５は建物への設置状態を示す概略図である。
【００１２】
まず、排水ヘッダー１１を設置する建物５１は、基礎５２と床下構造物５３との間に免震装置５４を備えており、地震によって地面と一緒に基礎５２が水平方向に揺れても、建物５１はほとんど揺れないように形成されている。なお、免震装置５４には、各種構造のものを使用することができ、水平方向の揺れを吸収する構造を有する免震装置ならば各種構造のものを使用することができるので、その詳細な説明は省略する。
【００１３】
排水ヘッダー１１は、前記建物５１の床下内に設けられるもので、底部が閉塞した円筒状のヘッダー本体１２の周壁に、建物５１の基礎５２側に設けられているマンホール５５に接続する排水主管１３を免震継手１４を介して接続する排水主管接続部１５と、各水回り設備１６，１６からの各排水管１７，１７を可撓性管継手１８，１８を介してそれぞれ接続する５箇所の排水管接続部１９，１９とを備えている。また、ヘッダー本体１２の上部開口には、着脱可能な点検蓋１２ａが装着されている。
【００１４】
排水主管接続部１５は、底板上面に接するようにしてヘッダー本体１２内に開口しており、ヘッダー本体１２内に汚物等が滞留することがないようにしている。また、各排水管接続部１９は、排水主管接続部１５よりも高位置に設けられており、排水主管１３側から排水管１７側への排水の逆流を防止するようにしている。さらに、排水主管接続部１５にも可撓性継手２０を設けておくことにより、施工時の位置調整等を容易に行うことができる。
【００１５】
ヘッダー本体１２は、高さ調整可能な支持脚２１を備えた支持部材２２に支持されている。支持部材２２は、ヘッダー本体１２を載置して固定する支持板２３と、支持板２３の周囲を保持する横フレーム２４と、この横フレーム２４の一側から鉛直方向に立ち上がった縦フレーム２５と、該縦フレーム２５から水平方向に突出したガイド片２６とを有している。前記支持脚２１は、下端に接地部２７ａを有するジャッキボルト２７と、該ジャッキボルト２７に螺合する一対の固定ナット２８，２８とで形成されており、固定ナット２８の締め付け位置を調節することにより、支持部材２２を介してヘッダー本体１２の上下位置及び水平度を調節できるように形成されている。
【００１６】
ヘッダー本体１２の底部には、四隅部に支持脚２１のジャッキボルト２７を挿通するための挿通溝２９をそれぞれ有する四角形の固定板３０が取り付けられており、各挿通溝２９と、支持板２３の所定位置に設けた挿通孔とにジャッキボルト２７を挿通し、支持板２３と固定板３０とを固定ナット２８，２８で挟み込むことにより、ヘッダー本体１２が支持部材２２に支持固定された状態となる。
【００１７】
一方、床下構造物５３の一つには、支持部材２２の水平方向の移動を規制するための棒状ガイド部材３１が固定金具３２によって取り付けられている。この棒状ガイド部材３１を、前記ガイド片２６に設けたガイド孔２６ａに挿通することにより、ガイド片２６は、棒状ガイド部材３１に対して上下方向にのみ移動可能な状態で係合する。また、棒状ガイド部材３１にネジ棒を使用し、固定金具３２に設けた雌ねじ部材３２ａに螺合させることにより、棒状ガイド部材３１の上下位置を容易に調節することができる。さらに、固定金具３２を、図１に示すように、床下構造物５３の免震土台として用いられている鋼材をボルト３２ｂと挟持片３２ｃとで挟み込んで固定する構造とすることにより、床下構造物５３に通孔を形成するなどの加工が不要となる。
【００１８】
このように形成した排水ヘッダー１１は、支持部材２２及び棒状ガイド部材３１を介して建物５１の床下構造物５３に取り付けられる。この取付状態の排水ヘッダー１１は、前述のように、床下構造物５３に対しては、ガイド片２６のガイド孔２６ａと棒状ガイド部材３１との係合によって水平方向の移動が規制され、上下方向には移動可能な状態でとなっており、上下方向は、ジャッキボルト２７の接地部２７ａを基礎５２の上面に当接させることによって規制された状態となっている。
【００１９】
このとき、上下方向の移動も規制するようにして排水ヘッダー１１を床下構造物５３に固設することもできる。しかし、排水流入時に重量が大幅に増加する排水ヘッダー１１を床下構造物５３に固設するためには、頑丈な支持部材を用いて床下構造物５３に強固に取り付ける必要があり、コストアップの大きな要因となるので好ましくない。また、接地部２７ａに、基礎５２との移動を円滑に行わせるためのボールや転動輪を用いたり、滑り板を用いたりしてもよい。
【００２０】
床下構造物５３に取り付けられた排水ヘッダー１１は、ジャッキボルト２７の各固定ナット２８の締め付け位置を調節し、高さ及び水平度を調節した後、各水回り設備１６からの各排水管１７を可撓性管継手１８を介して各排水管接続部１９にそれぞれ接続する。このとき、排水ヘッダー１１から離れた位置にある水回り設備１６からの排水管１７を、上下に設けられた排水管接続部１９の下方位置に接続することにより、十分な水勾配を得ることができる。また、排水主管接続部１５には、免震継手１４を介して排水主管１３を接続し、排水主管１３の下流部分をマンホール５５に接続する。なお、免震継手１４は、前記特許文献１に記載されたような可撓管をＵ字形に配置したものを使用することができ、他の構造の免震継手も適宜に選択使用することができる。
【００２１】
地震による大きな揺れが発生した場合、建物５１は免震装置５４によって水平方向の揺れ（横揺れ）が抑えられるので、建物５１と基礎５２とが相対的に水平方向に移動する状態となる。このとき、排水ヘッダー１１は、建物５１の床下構造物５３に水平方向の移動が規制された状態で取り付けられているので、基礎５２に対して接地部２７ａが横滑りして建物５１と一緒に排水ヘッダー１１が移動する。したがって、水回り設備１６に接続した排水管１７と排水ヘッダー１１との間に相対的な移動を生じないので、排水管１７に大きな引っ張り応力や曲げ応力が作用することがなくなる。
【００２２】
一方、建物５１の基礎５２側に配設されるマンホール５５に接続した排水主管１３は、排水ヘッダー１１との間に免震継手１４を介在させているので、排水ヘッダー１１が建物５１と共に移動しても、その移動に伴って発生する応力を免震継手１４によって吸収できるので、排水主管１３や排水ヘッダー１１に大きな応力が作用することはない。
【００２３】
このように、排水ヘッダー１１を建物５１に取り付けた状態とすることにより、各排水管１７に一般的な管材を使用することができ、高価な免震継手は排水主管１３との接続のみに用いればよいため、管材に要するコストや施工コストを大幅に削減することができる。また、各排水管１７の長さも、免震継手を用いたときに比べて短くできるので、排水性が損なわれることもない。特に、排水ヘッダー１１を建物５１に対して上下動可能とし、基礎５２で排水ヘッダー１１の重量を支えるように形成することにより、排水ヘッダー１１を建物５１に取り付けるための支持部材等を簡略化することができる。
【図面の簡単な説明】
【００２４】
【図１】本発明の一形態例を示す排水ヘッダーの正面図である。
【図２】同じく側面図である。
【図３】同じく平面図である。
【図４】配管接続状態を示す概略図である。
【図５】建物への設置状態を示す概略図である。
【符号の説明】
【００２５】
１１…排水ヘッダー、１２…ヘッダー本体、１２ａ…蓋、１３…排水主管、１４…免震継手、１５…排水主管接続部、１６…水回り設備、１７…排水管、１８…可撓性管継手、１９…排水管接続部、２０…可撓性継手、２１…支持脚、２２…支持部材、２３…支持板、２４…横フレーム、２５…縦フレーム、２６…ガイド片、２６ａ…ガイド孔、２７…ジャッキボルト、２７ａ…接地部、２８…固定ナット、２９…挿通溝、３０…固定板、３１…棒状ガイド部材、３２…固定金具、３２ａ…雌ねじ部材、３２ｂ…ボルト、３２ｃ…挟持片、５１…建物、５２…基礎、５３…床下構造物、５４…免震装置、５５…マンホール
【図１】
2006077528.tif 000003
【図２】
2006077528.tif 000004
【図３】
2006077528.tif 000005
【図４】
2006077528.tif 000006
【図５】
2006077528.tif 000007